【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
マルチレイヤビデオデータを復号する方法であって、前記方法が、
複数のシンタックス構造と、
複数のレイヤのそれぞれのレイヤごとに、前記それぞれのレイヤに適用されるそれぞれのシンタックス構造の前記複数のシンタックス構造にインデックスを指定するシンタックス要素と、
を含むビデオパラメータセット（ＶＰＳ）を受信することと、前記複数のシンタックス構造の各それぞれのシンタックス構造は、以下のパラメータ、すなわちｖｉｄｅｏ＿ｆｏｒｍａｔ、ｖｉｄｅｏ＿ｆｕｌｌ＿ｒａｎｇｅ＿ｆｌａｇ、ｃｏｌｏｕｒ＿ｐｒｉｍａｒｉｅｓ、ｔｒａｎｓｆｅｒ＿ｃｈａｒａｃｔｅｒｉｓｔｉｃｓ、またはｍａｔｒｉｘ＿ｃｏｅｆｆｓのうちの１つまたは複数を含み、ここにおいて、前記ｖｉｄｅｏ＿ｆｏｒｍａｔパラメータが、コーディングされるべきピクチャの表現のフォーマットを示し、前記ｖｉｄｅｏ＿ｆｕｌｌ＿ｒａｎｇｅ＿ｆｌａｇパラメータがルーマおよびクロマ信号の範囲と黒レベルとを示し、前記ｃｏｌｏｕｒ＿ｐｒｉｍａｒｉｅｓパラメータがソースプライマリの色度座標を示し、前記ｔｒａｎｓｆｅｒ＿ｃｈａｒａｃｔｅｒｉｓｔｉｃｓパラメータがソースピクチャの光−電子伝達特性を示し、前記ｍａｔｒｉｘ＿ｃｏｅｆｆｓパラメータが、緑、青および赤プライマリからルーマおよびクロマ信号を導出する際に使用される行列係数を記述する、
前記シンタックス構造のうちの少なくとも１つに基づいて前記マルチレイヤビデオデータを復号することと
を備える、方法。
【請求項２】
前記ｖｉｄｅｏ＿ｆｏｒｍａｔパラメータ、前記ｖｉｄｅｏ＿ｆｕｌｌ＿ｒａｎｇｅ＿ｆｌａｇパラメータ、前記ｃｏｌｏｕｒ＿ｐｒｉｍａｒｉｅｓパラメータ、前記ｔｒａｎｓｆｅｒ＿ｃｈａｒａｃｔｅｒｉｓｔｉｃｓパラメータ、または前記ｍａｔｒｉｘ＿ｃｏｅｆｆｓパラメータのうちの１つまたは複数が固定長コーディングされる、請求項１に記載の方法。
【請求項３】
前記ｖｉｄｅｏ＿ｆｏｒｍａｔパラメータが３ビットの長さを用いて固定長コーディングされ、前記ｖｉｄｅｏ＿ｆｕｌｌ＿ｒａｎｇｅ＿ｆｌａｇパラメータが１ビットの長さを用いて固定長コーディングされ、前記ｃｏｌｏｕｒ＿ｐｒｉｍａｒｉｅｓパラメータが８ビットの長さを用いて固定長コーディングされ、前記ｔｒａｎｓｆｅｒ＿ｃｈａｒａｃｔｅｒｉｓｔｉｃｓパラメータが８ビットの長さを用いて固定長コーディングされ、前記ｍａｔｒｉｘ＿ｃｏｅｆｆｓパラメータが８ビットの長さを用いて固定長コーディングされる、請求項１に記載の方法。
【請求項４】
マルチレイヤビデオデータを符号化する方法であって、前記方法が、
前記マルチレイヤビデオデータのためのビデオパラメータセット（ＶＰＳ）を生成することと、前記ＶＰＳは、
複数のシンタックス構造と、
複数のレイヤのそれぞれのレイヤごとに、前記それぞれのレイヤに適用されるそれぞれのシンタックス構造の前記複数のシンタックス構造にインデックスを指定するシンタックス要素と、
を含み、前記複数のシンタックス構造の各それぞれのシンタックス構造は、以下のパラメータ、すなわちｖｉｄｅｏ＿ｆｏｒｍａｔ、ｖｉｄｅｏ＿ｆｕｌｌ＿ｒａｎｇｅ＿ｆｌａｇ、ｃｏｌｏｕｒ＿ｐｒｉｍａｒｉｅｓ、ｔｒａｎｓｆｅｒ＿ｃｈａｒａｃｔｅｒｉｓｔｉｃｓ、またはｍａｔｒｉｘ＿ｃｏｅｆｆｓのうちの１つまたは複数を含み、ここにおいて、前記ｖｉｄｅｏ＿ｆｏｒｍａｔパラメータが、コーディングされるべきピクチャの表現のフォーマットを示し、前記ｖｉｄｅｏ＿ｆｕｌｌ＿ｒａｎｇｅ＿ｆｌａｇパラメータがルーマおよびクロマ信号の範囲と黒レベルとを示し、前記ｃｏｌｏｕｒ＿ｐｒｉｍａｒｉｅｓパラメータがソースプライマリの色度座標を示し、前記ｔｒａｎｓｆｅｒ＿ｃｈａｒａｃｔｅｒｉｓｔｉｃｓパラメータがソースピクチャの光−電子伝達特性を示し、前記ｍａｔｒｉｘ＿ｃｏｅｆｆｓパラメータが、緑、青および赤プライマリからルーマおよびクロマ信号を導出する際に使用される行列係数を記述する、
前記ＶＰＳを送信することと
を備える、方法。
【請求項５】
前記ｖｉｄｅｏ＿ｆｏｒｍａｔパラメータ、前記ｖｉｄｅｏ＿ｆｕｌｌ＿ｒａｎｇｅ＿ｆｌａｇパラメータ、前記ｃｏｌｏｕｒ＿ｐｒｉｍａｒｉｅｓパラメータ、前記ｔｒａｎｓｆｅｒ＿ｃｈａｒａｃｔｅｒｉｓｔｉｃｓパラメータ、または前記ｍａｔｒｉｘ＿ｃｏｅｆｆｓパラメータのうちの１つまたは複数が固定長コーディングされる、請求項４に記載の方法。
【請求項６】
前記ｖｉｄｅｏ＿ｆｏｒｍａｔパラメータが３ビットの長さを用いて固定長コーディングされ、前記ｖｉｄｅｏ＿ｆｕｌｌ＿ｒａｎｇｅ＿ｆｌａｇパラメータが１ビットの長さを用いて固定長コーディングされ、前記ｃｏｌｏｕｒ＿ｐｒｉｍａｒｉｅｓパラメータが８ビットの長さを用いて固定長コーディングされ、前記ｔｒａｎｓｆｅｒ＿ｃｈａｒａｃｔｅｒｉｓｔｉｃｓパラメータが８ビットの長さを用いて固定長コーディングされ、前記ｍａｔｒｉｘ＿ｃｏｅｆｆｓパラメータが８ビットの長さを用いて固定長コーディングされる、請求項５に記載の方法。
【請求項７】
マルチレイヤビデオデータを復号するための装置であって、
複数のシンタックス構造と、
複数のレイヤのそれぞれのレイヤごとに、前記それぞれのレイヤに適用されるそれぞれのシンタックス構造の前記複数のシンタックス構造にインデックスを指定するシンタックス要素と、
を含むビデオパラメータセット（ＶＰＳ）を受信するための手段と、前記複数のシンタックス構造の各それぞれのシンタックス構造は、以下のパラメータ、すなわちｖｉｄｅｏ＿ｆｏｒｍａｔ、ｖｉｄｅｏ＿ｆｕｌｌ＿ｒａｎｇｅ＿ｆｌａｇ、ｃｏｌｏｕｒ＿ｐｒｉｍａｒｉｅｓ、ｔｒａｎｓｆｅｒ＿ｃｈａｒａｃｔｅｒｉｓｔｉｃｓ、またはｍａｔｒｉｘ＿ｃｏｅｆｆｓのうちの１つまたは複数を含み、ここにおいて、前記ｖｉｄｅｏ＿ｆｏｒｍａｔパラメータが、コーディングされるべきピクチャの表現のフォーマットを示し、前記ｖｉｄｅｏ＿ｆｕｌｌ＿ｒａｎｇｅ＿ｆｌａｇパラメータがルーマおよびクロマ信号の範囲と黒レベルとを示し、前記ｃｏｌｏｕｒ＿ｐｒｉｍａｒｉｅｓパラメータがソースプライマリの色度座標を示し、前記ｔｒａｎｓｆｅｒ＿ｃｈａｒａｃｔｅｒｉｓｔｉｃｓパラメータがソースピクチャの光−電子伝達特性を示し、前記ｍａｔｒｉｘ＿ｃｏｅｆｆｓパラメータが、緑、青および赤プライマリからルーマおよびクロマ信号を導出する際に使用される行列係数を記述する、
前記シンタックス構造のうちの少なくとも１つに基づいて前記マルチレイヤビデオデータを復号するための手段と
を備える、装置。
【請求項８】
前記ｖｉｄｅｏ＿ｆｏｒｍａｔパラメータ、前記ｖｉｄｅｏ＿ｆｕｌｌ＿ｒａｎｇｅ＿ｆｌａｇパラメータ、前記ｃｏｌｏｕｒ＿ｐｒｉｍａｒｉｅｓパラメータ、前記ｔｒａｎｓｆｅｒ＿ｃｈａｒａｃｔｅｒｉｓｔｉｃｓパラメータ、または前記ｍａｔｒｉｘ＿ｃｏｅｆｆｓパラメータのうちの１つまたは複数が固定長コーディングされる、請求項７に記載の装置。
【請求項９】
前記ｖｉｄｅｏ＿ｆｏｒｍａｔパラメータが３ビットの長さを用いて固定長コーディングされ、前記ｖｉｄｅｏ＿ｆｕｌｌ＿ｒａｎｇｅ＿ｆｌａｇパラメータが１ビットの長さを用いて固定長コーディングされ、前記ｃｏｌｏｕｒ＿ｐｒｉｍａｒｉｅｓパラメータが８ビットの長さを用いて固定長コーディングされ、前記ｔｒａｎｓｆｅｒ＿ｃｈａｒａｃｔｅｒｉｓｔｉｃｓパラメータが８ビットの長さを用いて固定長コーディングされ、前記ｍａｔｒｉｘ＿ｃｏｅｆｆｓパラメータが８ビットの長さを用いて固定長コーディングされる、請求項８に記載の装置。
【請求項１０】
命令を記憶した非一時的コンピュータ可読記憶媒体であって、前記命令が、１つまたは複数のプロセッサによって実行されたときに、前記１つまたは複数のプロセッサに、
複数のシンタックス構造と、
複数のレイヤのそれぞれのレイヤごとに、前記それぞれのレイヤに適用されるそれぞれのシンタックス構造の前記複数のシンタックス構造にインデックスを指定するシンタックス要素と、
を含むビデオパラメータセット（ＶＰＳ）を受信することと、前記複数のシンタックス構造の各それぞれのシンタックス構造は、以下のパラメータ、すなわちｖｉｄｅｏ＿ｆｏｒｍａｔ、ｖｉｄｅｏ＿ｆｕｌｌ＿ｒａｎｇｅ＿ｆｌａｇ、ｃｏｌｏｕｒ＿ｐｒｉｍａｒｉｅｓ、ｔｒａｎｓｆｅｒ＿ｃｈａｒａｃｔｅｒｉｓｔｉｃｓ、またはｍａｔｒｉｘ＿ｃｏｅｆｆｓのうちの１つまたは複数を含み、ここにおいて、前記ｖｉｄｅｏ＿ｆｏｒｍａｔパラメータが、コーディングされるべきピクチャの表現のフォーマットを示し、前記ｖｉｄｅｏ＿ｆｕｌｌ＿ｒａｎｇｅ＿ｆｌａｇパラメータがルーマおよびクロマ信号の範囲と黒レベルとを示し、前記ｃｏｌｏｕｒ＿ｐｒｉｍａｒｉｅｓパラメータがソースプライマリの色度座標を示し、前記ｔｒａｎｓｆｅｒ＿ｃｈａｒａｃｔｅｒｉｓｔｉｃｓパラメータがソースピクチャの光−電子伝達特性を示し、前記ｍａｔｒｉｘ＿ｃｏｅｆｆｓパラメータが、緑、青および赤プライマリからルーマおよびクロマ信号を導出する際に使用される行列係数を記述する、
前記シンタックス構造のうちの少なくとも１つに基づいてマルチレイヤビデオデータを復号することと
を行わせる、非一時的コンピュータ可読記憶媒体。
【請求項１１】
前記装置は、
集積回路、
マイクロプロセッサ、または
ワイヤレス通信デバイス、
のうちの少なくとも１つを備える、請求項７に記載の装置。
【請求項１２】
前記復号ビデオデータを表示するように構成されたディスプレイをさらに備える、請求項７に記載の装置。